(57)【要約】【課題】どのような寝相であっても確実に遠赤外線効果が生じ得る枕を提供する。【解決手段】頭部を保持可能なる大きさを有すると共に頭部に直対向する側から離れる方向に向けて次に列挙する部材が層状をなす。（１）複数の開口が形成されてなると共に該開口間を架橋する架橋部が形成されてなる板状をなし且つ頸部Ｎ側が二つ折りされてなる第１層状体２。（２）該第１層状体２の二つ折りされた部位中に挿入支持され且つ遠赤外線を放射する石材の混入した繊維による第２層状体３。【選択図】      図２
2004159848.tif 000002
【特許請求の範囲】
【請求項１】
頭部を保持可能なる大きさを有すると共に頭部に直対向する側から離れる方向に向けて次に列挙する部材が層状をなすことを特徴とする枕。
（１）複数の開口が形成されてなると共に該開口間を架橋する架橋部が形成されてなる板状をなし且つ頸部側が二つ折りされてなる第１層状体。
（２）該第１層状体の二つ折りされた部位中に挿入支持され且つ遠赤外線を放射する石材の混入した繊維による第２層状体。
【請求項２】
請求項１に記載の枕であって、
前記第２層状体には、左右に長方をなし且つその中央部に頸部が収納可能なる上面視の凹部が形成されてなる第２袋体により覆われてなることを特徴とする枕。
【請求項３】
請求項２に記載の枕であって、
前記第２袋体の左右方向の一方には、前記繊維の出し入れ可能なる開口が封止可能に配されてなることを特徴とする枕。
【請求項４】
請求項１乃至請求項３の何れか１項に記載の枕であって、
前記第１層状体の頭部側の面には、水晶製のボタンが配設されてなることを特徴とする枕。
【請求項５】
請求項１乃至請求項４の何れか１項に記載の枕であって、
前記第１層状体は、厚さが５乃至１０ミリメートルのポリエステル製で、前記開口はほぼ均一に形成されてなることを特徴とする枕。
【請求項６】
請求項１乃至請求項５の何れか１項に記載の枕であって、
前記第１層状体は、第１袋体により覆われてなると共に該第１袋体は二つ折りされた状態で固持されてなることを特徴とする枕。
【発明の詳細な説明】
【０００１】
【発明の属する技術分野】
この発明は、枕の構造に関する。
【０００２】
【従来の技術】
従来、生体細胞に賦活効果を与えるのに最も良いとされる遠赤外線を利用した枕として、枕カバーの内部には、内部に中綿を詰めた略円柱状の略円柱体と、内部に中綿を詰め且つ回転自在な略円柱状の回転袋体とが収納されてなり、遠赤外線を放射する天然鉱石を含有する遠赤外線放射体を前記回転袋体の表面に該回転袋体の長さ方向に沿って縫いつけた例（例えば、特許文献１参照。）がある。
【０００３】
【特許文献１】
特許番号第２９８４２３６号公報
【０００４】
【発明が解決しようとする課題】
しかしながら、前記従来例によれば、遠赤外線放射体を縫いつけてあるのが前記回転袋体の表面の一部なので、該回転袋体が回転して逆向きになってしまうと、遠赤外線放射体が就寝している生体の頸椎から離れる可能性が高く、遠赤外線による効果が期待できないおそれがある。
【０００５】
この発明は、このような従来の技術の課題を解決するために、どのような寝相であっても確実に遠赤外線効果が生じ得る枕を提供するものである。
【０００６】
【課題を解決するための手段】
請求項１に記載の発明は、頭部を保持可能なる大きさを有すると共に頭部に直対向する側から離れる方向に向けて次に列挙する部材が層状をなすことを特徴とする。
（１）複数の開口が形成されてなると共に該開口間を架橋する架橋部が形成されてなる板状をなし且つ頸部側が二つ折りされてなる第１層状体。
（２）該第１層状体の二つ折りされた部位中に挿入支持され且つ遠赤外線を放射する石材の混入した繊維による第２層状体。
【０００７】
請求項１に記載の発明によれば、第１層状体の二つ折りされた部位中に第２層状体が挿入支持されてなるので、生体がどのような寝相をしても、遠赤外線を放射する石材の混入した繊維による第２層状体の位置は変わらず、生体の頭部近傍にあるため、遠赤外線を放射する石材の熱吸収効率が高い状態を維持できるし、遠赤外線に反応した生体を長時間温めた状態が確保できるばかりか、抗菌効果、消臭効果、抗カビ効果に優れる。また、第１層状体の開口を経て、枕内に籠もった熱或いは水分が速やかに放散可能であるので、通気性或いは通水性が良く、じめじめ感を与えず、乾燥しやすい。また、第１層状体の変形しにくい架橋部の部分のみで、生体の頭部を保持できるので、中側に繊維層よりなる第２層状体があっても適宜の弾力性を保つことができる。又、第１層状体に開口が形成されてなることで軽量になり、折畳みも容易となるので、三重折りなどが可能で、格納がコンパクトになる。更に、第２層状体が繊維よりなるので、クッション性に優れ、さまざまな寝相に対応できる。
【０００８】
請求項２に記載の発明は、請求項１に記載の枕であって、前記第２層状体には、左右に長方をなし且つその中央部に頸部が収納可能なる上面視の凹部が形成されてなる第２袋体により覆われてなることを特徴とする。
【０００９】
請求項２に記載の発明によれば、請求項１に記載の効果に加え、生体の頭部の頸部が凹部内に入り込み、頸椎を柔らかく包むことができる。
【００１０】
請求項３に記載の発明は、請求項２に記載の枕であって、前記第２袋体の左右方向の一方には、前記繊維状の第２層状体の出し入れが可能となる開口が封止可能に配されてなることを特徴とする。
【００１１】
請求項３に記載の発明によれば、請求項２に記載の効果に加え、繊維状の第２層状体を第２袋体の開口から封入することで、該封入量により枕を硬くしたり柔らかくしたりできるし、枕の高さを高くしたり低くしたりの調節ができる。
【００１２】
請求項４に記載の発明は、請求項１乃至請求項３の何れか１項に記載の枕であって、前記第１層状体の頭部側の面には、水晶製のボタンが配設されてなることを特徴とする。
【００１３】
請求項４に記載の発明によれば、請求項１乃至請求項３の何れか１項に記載の効果に加え、水晶製のボタンによる豪華感を使用者に与えることができる。
【００１４】
請求項５に記載の発明は、請求項１乃至請求項４の何れか１項に記載の枕であって、前記第１層状体は、厚さが５乃至１０ミリメートルのポリエステル製で、前記開口はほぼ均一に形成されてなることを特徴とする。
【００１５】
請求項５に記載の発明によれば、請求項１乃至請求項４の何れか１項に記載の効果に加え、前記第２層状体の厚さが５乃至１０ミリメートルのポリエステル製の板状なので、頭部を保持した時にほぼ半分の板厚まで凹むが、その凹み位置で頭部を適度に保持可能である。開口を形成する際に開口の形状に抜いた残骸は熱可塑性のポリエステルなので、リサイクルが容易となり、原価低減が図れる。
【００１６】
請求項６に記載の発明は、請求項１乃至請求項５の何れか１項に記載の枕であって、前記第１層状体は、第１袋体により覆われてなると共に該第１袋体は二つ折りされた状態で固持されてなることを特徴とする。
【００１７】
請求項６に記載の発明によれば、請求項１乃至請求項５の何れか１項に記載の効果に加え、第１層状体が二つ折りされることで、該二つ折りされた部分が生体の頸部の凹みを保持でき、就寝中の生体を確実に保持できる。
【００１８】
【発明の実施の形態】
本発明の好適な実施形態を図を用いて説明する。
【００１９】
図１乃至図５に基づいて、本発明の一実施形態の構成を説明する。符号１は、縦方向４００ミリメートル、幅方向５４０ミリメートルの長方形の短冊状をなす枕で、該枕１は、生体Ｍの頭部Ｈを保持可能なる大きさを有すると共に頭部Ｈに直対向する側から離れる方向に向けて次に列挙する部材が層状をなす。即ち、ハニカム状に複数の開口７が形成されてなると共に該開口７、７間を架橋する架橋部８が形成されてなる板状をなし且つ生体Ｍの頸部Ｎ側が二つ折りされてなる第１層状体２と、該第１層状体２の二つ折りされた部位中に挿入支持され且つ遠赤外線を放射する石材の混入した繊維による第２層状体３とよりなる。
【００２０】
前記第１層状体２は、厚さｈが５乃至１０ミリメートル、望ましくは８ミリメートルのポリエステル製の板状をなす。前記第１層状体２の開口７は、生体Ｍに直対向する側から離れる方向に向けて短幅５ミリメートル、長幅１６ミリメートルの菱形をなし、該開口７が上面側にほぼ均一に複数形成されてなる。該開口７，７間には、前記架橋部８、８が前記第２層状体３の下面に当接してなり且つ該第２層状体３を保持可能である。前記開口７について菱形と説明したが、菱形に限定されるものではなく、格子状でも短冊状でも良い。要は、生体Ｍを断続的に保持可能な架橋部８が形成されていれば、形状に限定されるものではない。
【００２１】
前記第２層状体３は、遠赤外線を放射する石材の混入した繊維によるもので、この石材の１つは、「三仙石」といわれる青や茶色の美しい模様のある火成岩の一種で、皮膚に対する刺激が少なく、生理的効果の高い４〜１４ミクロンの波長の遠赤外線を多量に放射するものである。従って、第２層状体３をより詳細に説明すると、かかる石材など多種類の天然石を所定比率で混合後、細かく粉砕して超微粒子のパウダー状にしたものを、ポリエステルなどの合成樹脂などに練り込み製法により混入した原料綿そのもの、あるいは該原料綿によってつくられた不織布（ニードルフェルト、樹脂綿等）、あるいは絡ませるために波状に癖の付けられた糸状にし、繊維や編み物の生地にしたてられたものなどである。
【００２２】
前記第１層状体２と、第２層状体３とは、それぞれ第１袋体４及び第２袋体５に覆われてなり、ソフトな感覚を横臥する生体Ｍに与えるもので、生体Ｍの汗を吸い込み易い綿状の材質により形成されているが、絹などでも良い。要は汗などの水分をはじくものではなく、吸収できるものであればよい。
【００２３】
前記第２層状体３の第２袋体５は、左右に５２０ミリメートルの長方をなし且つその中央部５ａに頸部Ｎが収納可能なるように、図３に示す上面視の凹部６が形成されてなる。該凹部６は、左右幅２６０ミリメートルであり、中央部５ａの前後幅（図３の上下幅）は、第２層状体３を封入させる際に手が入れられる空間として１００ミリメートルの前後幅である。第２袋体５の一方の端部５ｂ、５ｂには、約２０ミリメートルの長さに切断された繊維状の第２層状体３の出し入れ可能なる開口１２が封止可能に配されてなるファスナー９が支持され、該ファスナー９を閉じることで第２袋体５が閉じられる。符号９ａは、ファスナー９を保持した支持片である。従って、第２袋体５の左右には、約２２０グラムのほぐした第２層状体３が封入されることで、硬く且つ高くなり、中央部５ａには、６０グラムのほぐした第２層状体３が封入されることで、柔らかく且つ低くなる。
【００２４】
前記第１層状体２の第１袋体４は、生体Ｍ側が二つ折り部４ａで、該二つ折り部４ａから２６ミリメートルの位置で縫い糸１０により二つ折りされた位置が保持されている。符号１１は、前記第１層状体２の頭部側の面に縫い糸１２により配設されてなる水晶製のボタンである。該ボタン１１の縫いつけられている位置は、中央から左右に１９ミリメートルの幅であり、生体Ｍの頭部Ｈに触れる位置である。
【００２５】
かかる構成より成る枕１の作用について次に説明する。
【００２６】
枕１の第１層状体２及び第１袋体４の二つ折りされた部位２ａ，４ａ中に第２層状体３及び該第２層状体３を覆う第２袋体５が挿入支持されてなるので、生体Ｍがどのような寝相をしても、遠赤外線を放射する石材の混入した繊維による第２層状体３の位置は変わらず、生体Ｍの頭部Ｈ近傍にあるため、遠赤外線を放射する石材の熱吸収効率が高い状態を維持できるし、遠赤外線に反応した生体Ｍを長時間温めた状態が確保できるばかりか、抗菌効果、消臭効果、抗カビ効果に優れる。
【００２７】
また、第１層状体２の開口７を経て、枕１内に籠もった熱或いは水分が速やかに放散可能であるので、通気性或いは通水性が良く、じめじめ感を与えず、乾燥しやすい。又、第１層状体２に開口７が形成されてなることで軽量になり、折畳みも容易となるので、三重折りなどが可能で、格納がコンパクトになる。
【００２８】
また、第１層状体２の変形しにくい架橋部８の部分のみで、生体Ｍの頭部Ｈを保持できるので、一点に圧力が集中するのを防ぎ、圧力を分散できるので、耐久性が高くなる。また、中側に繊維層よりなる第２層状体３があっても適宜の弾力性を保つことができる。
【００２９】
更に、第２層状体３が繊維よりなるので、クッション性に優れ、さまざまな寝相に対応できる。特に第２層状体３を覆う第２袋体５の中央部５ａは前後寸法が狭いので、第２層状体３の繊維がへたり硬くなり易いが、外側からもむと直ぐに元の柔らかさに戻すことができる。
【００３０】
前記第２層状体３の第２袋体５には、左右に長方をなし且つその中央部５ａに頸部Ｎが収納可能なる上面視の凹部６が形成されてなるので、生体Ｍの頭部Ｈの頸部Ｎが、該凹部６内に入り込み、頸椎Ｎを柔らかく包むことができる。
【００３１】
前記第２袋体５の左右方向の一方には、前記繊維状の第２層状体３の出し入れが可能となる開口１２がファスナー９により保持封止可能に配されてなるので、該第２層状体３の封入量を多くすれば枕１を硬く且つ高くできるし、封入量を少なくすれば枕１を柔らかく且つ低く調節ができる。
【００３２】
前記第１層状体２の第１袋体４の頭部Ｈ側の面には、水晶製のボタン１１が配設されてなるので、水晶製のボタン１１による豪華感を使用者に与えることができる。
【００３３】
前記第１層状体２は、厚さが５乃至１０ミリメートルのポリエステル製の板状であり、前記開口７はほぼ均一に形成されてなるので、頭部Ｈによりほぼ半分の板厚まで凹むが、その凹み位置で頭部を適度に保持可能である。開口７を形成する際に開口７の形状に抜いた残骸は熱可塑性のポリエステルなので、リサイクルが容易となり、原価低減が図れる。
【００３４】
前記第１層状体２は、第１袋体４により覆われてなると共に該第１袋体４は二つ折りされた状態で固持されてなるので、第１層状体２が二つ折りされることで、該二つ折りされた部分２ａが生体Ｍの頭部Ｈの頸部Ｎを凹み６が保持でき、就寝中の頭部Ｈを確実に保持できる。
【００３５】
前記第１，第２袋体４，５を第１層状体２及び第２層状体３から外して洗濯をしたり、新しい第１，第２袋体４，５に交換するだけで、清潔に長期間使用できる。遠赤外線を放射する石材の混入した繊維による第１層状体２は、第１袋体４を経て頭部Ｈによい影響を与えることができる。
【００３６】
こうして第２層状体４の架橋部８によって押された第１層状体３が早期に暖まるので、生体２側に配されている遠赤外線を放射する石材の混入した繊維による第１層状体３により、生体２を早急に温めることができる。第１層状体３が遠赤外線を放射する石材により温度の均一化を図ることが出来る。また、遠赤外線を放射する石材は、熱吸収率が高い。
【００３７】
遠赤外線を放射する石材の混入した繊維による第１層状体３は、練り込み製法のため、洗濯をしても効果は失われない。また、抗菌性に優れ、院内感染が心配される医療機関で枕１として使われても、その必要性は著しく大きい。
【００３８】
【発明の効果】
請求項１に記載の発明によれば、第１層状体の二つ折りされた部位中に第２層状体が挿入支持されてなるので、生体がどのような寝相をしても、遠赤外線を放射する石材の混入した繊維による第２層状体の位置は変わらず、生体の頭部近傍にあるため、遠赤外線を放射する石材の熱吸収効率が高い状態を維持できるし、遠赤外線に反応した生体を長時間温めた状態が確保できるばかりか、抗菌効果、消臭効果、抗カビ効果に優れる。また、第１層状体の開口を経て、枕内に籠もった熱或いは水分が速やかに放散可能であるので、通気性或いは通水性が良く、じめじめ感を与えず、乾燥しやすい。また、第１層状体の変形しにくい架橋部の部分のみで、生体の頭部を保持できるので、中側に繊維層よりなる第２層状体があっても適宜の弾力性を保つことができる。又、第１層状体に開口が形成されてなることで軽量になり、折畳みも容易となるので、三重折りなどが可能で、格納がコンパクトになる。更に、第２層状体が繊維よりなるので、クッション性に優れ、さまざまな寝相に対応できる。
【００３９】
請求項２に記載の発明によれば、請求項１に記載の効果に加え、生体の頭部の頸部が凹部内に入り込み、頸椎を柔らかく包むことができる。
【００４０】
請求項３に記載の発明によれば、請求項２に記載の効果に加え、繊維状の第２層状体を第２袋体の開口から封入することで、該封入量により枕を硬くしたり柔らかくしたりできるし、枕の高さを高くしたり低くしたりの調節ができる。
【００４１】
請求項４に記載の発明によれば、請求項１乃至請求項３の何れか１項に記載の効果に加え、水晶製のボタンによる豪華感を使用者に与えることができる。
【００４２】
請求項５に記載の発明によれば、請求項１乃至請求項４の何れか１項に記載の効果に加え、前記第２層状体の厚さが５乃至１０ミリメートルのポリエステル製の板状なので、頭部の重みでほぼ半分の板厚まで凹むが、その凹み位置で頭部を適度に保持可能である。開口を形成する際に開口の形状に抜いた残骸は熱可塑性のポリエステルなので、リサイクルが容易となり、原価低減が図れる。
【００４３】
請求項６に記載の発明によれば、請求項１乃至請求項５の何れか１項に記載の効果に加え、第１層状体が二つ折りされることで、該二つ折りされた部分が生体の頸部の凹みを保持でき、就寝中の生体を確実に保持できる。
【図面の簡単な説明】
【図１】この発明の一実施形態に係る枕を示す上面図。
【図２】図１のＳＡ−ＳＡ線に沿った断面図。
【図３】図２の第２層状体を覆った第２袋体を上面から示す平面図。
【図４】図３のＳＢ−ＳＢ線に沿った断面図。
【図５】図１の斜視図。
【符号の説明】
１  枕
２  第１層状体
３  第２層状体
４  第１袋体
５  第２袋体
６  凹部
７  開口
８  架橋部
９  ファスナー
１１  水晶製ボタン
【図１】
2004159848.tif 000003
【図２】
2004159848.tif 000004
【図３】
2004159848.tif 000005
【図４】
2004159848.tif 000006
【図５】
2004159848.tif 000007